(57)【要約】【課題】継手の自然解除を防止することができる簡易な補助具及び継手を提供することにある。【解決手段】継手１は、雄継手２、雌継手３、起立自在のカムアーム４、補助具１０を有する。補助具１０は、雄継手２に軸支される回動部材１１と握持部材１２とを有する。回動部材１１には挿通孔１２ｃが備わり、この挿通孔１２ｃに握持部材１２の両端部１２Ａが先端側及び基端側へ移動自在に挿通されている。そして、両端部１２Ａの先端側への移動でカムアーム４が起立不能になり、かつ回動部材１１が回動不能になる。他方、両端部１２Ａの基端側への移動でカムアーム４が起立可能になり、かつ回動部材１１が回動可能になる。【選択図】図１
2020172992.tif 000002
【特許請求の範囲】
【請求項１】
雄継手及びこの雄継手と結合する雌継手、並びにこの雌継手に起立自在に備わるカムアームを有し、このカムアームの起立時に前記結合が解除可能になる継手の補助具であり、
前記雄継手又は前記雌継手に軸支される回動部材と、この回動部材に取り付けられた握持部材とを有し、
前記回動部材に一対の挿通孔が備わり、この一対の挿通孔に前記握持部材の両端部が先端側及び基端側へ移動自在に挿通され、
前記両端部の前記先端側への移動で前記カムアームが起立不能になり、かつ前記回動部材が回動不能になり、
前記両端部の前記基端側への移動で前記カムアームが起立可能になり、かつ前記回動部材が回動可能になる、
ことを特徴とする継手の補助具。
【請求項２】
前記握持部材は前記両端部及びこの両端部間に位置する中央部に区分され、前記両端部が前記中央部から折れ曲がることで形成されており、
前記回動部材は平板状で、かつ前記両端部の前記基端側への移動で前記中央部が前記回動部材から乖離する、
請求項１に記載の継手の補助具。
【請求項３】
雄継手及びこの雄継手と結合する雌継手、並びに前記雄継手又は前記雌継手に備えられた補助具及び前記雌継手に起立自在に備わるカムアームを有し、このカムアームの起立時に前記結合が解除可能になり、
前記補助具は、前記雄継手又は前記雌継手に軸支された回動部材と、この回動部材に取り付けられた握持部材とを有し、
前記回動部材に一対の挿通孔が備わり、この一対の挿通孔に前記握持部材の両端部が先端側及び基端側へ移動自在に挿通され、
前記両端部の前記先端側への移動で前記カムアームが起立不能になり、かつ前記回動部材が回動不能になり、
前記両端部の前記基端側への移動で前記カムアームが起立可能になり、かつ前記回動部材が回動可能になる、
ことを特徴とする継手。
【請求項４】
前記雄継手内に開閉バルブが備わり、
前記回動部材が前記雄継手に軸支され、かつ前記回動部材の回動と前記開閉バルブの開閉とが連動するように構成されている、
請求項３に記載の継手。
【発明の詳細な説明】
【技術分野】
【０００１】
本発明は、継手の補助具及び継手に関するものである。
【背景技術】
【０００２】
いわゆるカムロック式の継手としては、雄継手及びこの雄継手と結合する雌継手のほかに、カムアームが備わるものが存在する。この継手においては、カムアームが起伏自在で、雌継手から起立させ、また、雌継手に沿うように倒すことができる。この継手においては、カムアームを倒すと雄継手を雌継手から取り外すことができなくなり（結合の解除不能）、他方、カムアームを起立させると雄継手を雌継手から取り外すことができるようになる（結合の解除可能）。したがって、カムアームが意図せずに起立してしまうのを防止し、もって雄継手が雌継手から意図せずに外れてしまう（自然解除）のを防止する必要がある。そこで、例えば、特許文献１，２は、継手の構造を変更することで自然解除を防止している。しかしながら、構造の変更は煩瑣であり、また、既存の継手をそのまま利用することができなきなくなる。一方、特許文献３は、可撓性の固定バンドによってカムアームの意図しない起立を防止している。しかしながら、この提案によると、固定バンドが紛失する可能性がある。また、同文献は、カムアームを抑え込む可撓性の部材を提案するだけであり、この提案では固定バンドの取り付けが煩瑣である。仮に固定バンドの抑え込みを弱くすると、固定バンドが継手から外れてしまう可能性がある。
【先行技術文献】
【特許文献】
【０００３】
【特許文献１】特開２００４−１８３８４４号公報
【特許文献２】特開２０１５−６８４６７号公報
【特許文献３】特開２００３−４１９０号公報
【発明の概要】
【発明が解決しようとする課題】
【０００４】
本発明が解決しようとする主たる課題は、継手の自然解除を防止することができる簡易な補助具及び継手を提供することにある。
【課題を解決するための手段】
【０００５】
上記課題を解決するための手段は、次のとおりである。
（請求項１に記載の手段）
雄継手及びこの雄継手と結合する雌継手、並びにこの雌継手に起立自在に備わるカムアームを有し、このカムアームの起立時に前記結合が解除可能になる継手の補助具であり、
前記雄継手又は前記雌継手に軸支される回動部材と、この回動部材に取り付けられた握持部材とを有し、
前記回動部材に一対の挿通孔が備わり、この一対の挿通孔に前記握持部材の両端部が先端側及び基端側へ移動自在に挿通され、
前記両端部の前記先端側への移動で前記カムアームが起立不能になり、かつ前記回動部材が回動不能になり、
前記両端部の前記基端側への移動で前記カムアームが起立可能になり、かつ前記回動部材が回動可能になる、
ことを特徴とする継手の補助具。
【０００６】
（請求項２に記載の手段）
前記握持部材は前記両端部及びこの両端部間に位置する中央部に区分され、前記両端部が前記中央部から折れ曲がることで形成されており、
前記回動部材は平板状で、かつ前記両端部の前記基端側への移動で前記中央部が前記回動部材から乖離する、
請求項１に記載の継手の補助具。
【０００７】
（請求項３に記載の手段）
雄継手及びこの雄継手と結合する雌継手、並びに前記雄継手又は前記雌継手に備えられた補助具及び前記雌継手に起立自在に備わるカムアームを有し、このカムアームの起立時に前記結合が解除可能になり、
前記補助具は、前記雄継手又は前記雌継手に軸支された回動部材と、この回動部材に取り付けられた握持部材とを有し、
前記回動部材に一対の挿通孔が備わり、この一対の挿通孔に前記握持部材の両端部が先端側及び基端側へ移動自在に挿通され、
前記両端部の前記先端側への移動で前記カムアームが起立不能になり、かつ前記回動部材が回動不能になり、
前記両端部の前記基端側への移動で前記カムアームが起立可能になり、かつ前記回動部材が回動可能になる、
ことを特徴とする継手。
【０００８】
（請求項４に記載の手段）
前記雄継手内に開閉バルブが備わり、
前記回動部材が前記雄継手に軸支され、かつ前記回動部材の回動と前記開閉バルブの開閉とが連動するように構成されている、
請求項３に記載の継手。
【発明の効果】
【０００９】
本発明によると、継手の自然解除を防止することができる簡易な補助具及び継手になる。
【図面の簡単な説明】
【００１０】
【図１】本形態の継手の斜視図である（ロック状態）。
【図２】本形態の継手の平面図である（ロック状態）。
【図３】本形態の継手の側面図である（ロック状態）。
【図４】本形態の継手の正面図である（ロック状態）。
【図５】本形態の継手の斜視図である（ロック解除可能状態）。
【図６】本形態の継手の平面図である（ロック解除可能状態）。
【図７】本形態の継手の側面図である（ロック解除可能状態）。
【図８】本形態の継手の正面図である（ロック解除可能状態）。
【発明を実施するための形態】
【００１１】
次に、発明を実施するための形態を説明する。なお、本実施の形態は本発明の一例である。本発明の範囲は、本実施の形態の範囲に限定されない。
【００１２】
図１〜８に、本形態の継手１を示した。本形態の継手１には、補助具１０が備えられ、又は備わっている（図示例）。継手１は、雄継手２及び雌継手３と、一対のカムアーム４とを有する。カムアーム４が備わる継手１は、例えば、レバー式のカムロック等と言われることもある。また、カムアーム４は、例えば、レバー等と言われることもある。
【００１３】
本形態の雄継手２及び雌継手３は、いずれも円筒状である。また、雄継手２の一端部（雌継手３側の端部）は、雌継手３の一端部（雄継手２側の端部）内に挿入可能とされている。図示例は、当該挿入が行われた状態を示している。この挿入状態において、雄継手２及び雌継手３の内空部を液体、気体等の流体が流通可能である。また、雄継手２及び雌継手３の内空部は、例えば、直径１０〜５０ｍｍである。
【００１４】
一対のカムアーム４は、雌継手３の周面に固定されている。一対のカムアーム４は、雌継手３を挟んで反対側に、つまり対称位置に備えられている。雌継手３の周面には、一対の基部３Ａが備えられている。当該基部３Ａは、雌継手３の周面から突出している。一対のカムアーム４は、当該基部３Ａに対して軸材４Ａによって軸支されている。当該軸材４Ａは、例えば、ピボットピン等と言われることもある。軸材４Ａは、雌継手３の延在方向と直交する方向に延在している。軸材４Ａによる軸支により、カムアーム４は、雌継手３の延在方向に沿った状態（倒された状態）と起立状態との間で回動自在になっている。カムアーム４が倒された状態においては、雄継手２及び雌継手３の結合がロックされている（解除不能）。他方、カムアーム４が起立した状態においては、雄継手２及び雌継手３の結合ロックが解除されている（解除可能）。
【００１５】
以上のようにしてなる継手１に備わる補助具１０は、回動部材１１及び握持部材１２を主に有する。補助具１０（回動部材１１）は、雄継手２又は雌継手３に軸支されている。図示例では、回動部材１１が雄継手２に軸支されている。
【００１６】
本形態の回動部材１１は、平板状である。また、本形態の回動部材１１は、本体部１１ａと軸支部１１ｂとに区分することができる。本体部１１ａは、平面視で円形状、矩形状、任意の形状等の適宜の形状にすることができる。図示例では、ほぼ真円形状である。他方、軸支部１１ｂも、平面視で円形状、矩形状、任意の形状等の適宜の形状にすることができる。本形態の軸支部１１ｂは、本体部１１ａから雄継手２側へ突出している。ただし、回動部材１１は、本体部１１ａ及び軸支部１１ｂに区分されている必要はない。例えば、軸支部１１ｂが備わらず、本体部１１ａ自体が雄継手２等に軸支されていてもよい。
【００１７】
軸支部１１ｂは、軸材１１ｘによって雄継手２に軸支されている。軸材１１ｘは、雄継手２や雌継手３の延在方向と直交する方向に延在しており、カムアーム４の軸材４Ａと同方向に延在している。したがって、回動部材１１の回動方向は、カムアーム４の回動方向と同じである。もちろん、回動部材１１の回動中心位置と、カムアーム４の回動中心位置とは異なる。
【００１８】
回動部材１１の本体部１１ａには、一対の挿通孔１１ｃが備わる。この一対の挿通孔１１ｃには、握持部材１２が挿通されている。
より詳細には、まず、握持部材１２は、棒状であり、両端部１２Ａ及びこの両端部１２Ａ間に位置する中央部１２Ｂに区分される。両端部１２Ａは、中央部１２Ｂから折れ曲がることで形成されている。
【００１９】
握持部材１２の両端部１２Ａは、回動部材１１（本体部１１ａ）の挿通孔１１ｃに挿通されている。この挿通は、両端部１２Ａが先端側及び基端側へ移動自在になるように行われている。なお、基端側とは、握持部材１２の折れ曲がった部分側を意味する。したがって、先端側への移動とは、両端部１２Ａが挿通孔１１ｃにより長く挿通された状態、つまり挿通長が長くなった状態を意味する。他方、基端側への移動とは、両端部１２Ａが挿通孔１１ｃにより短く挿通された状態、つまり挿通長が短くなった状態を意味する。なお、図１〜８は、両端部１２Ａが先端側へ移動した状態を示している。
【００２０】
握持部材１２の両端部１２Ａが先端側へ移動した状態においては、図４に示すように、当該両端部１２Ａが一対のカムアーム４の外方、つまりカムアーム４を挟んで雌継手３と反対側に位置する。したがって、カムアーム４が起立不能（回動不能）になり、かつ回動部材１１が回動不能になる。結果、雄継手２及び雌継手３の結合がロックされた状態になり、雄継手２が雌継手３から意図せずに外れてしまうのが防止される。
【００２１】
他方、握持部材１２の両端部１２Ａが基端側へ移動した状態においては、特に図示はしないが、両端部１２Ａが一対のカムアーム４の外方、つまりカムアーム４を挟んで雌継手３と反対側に位置しなくなる。したがって、カムアーム４が起立可能（回動可能）になり、かつ回動部材１１が回動可能になる。結果、カムアーム４を起立させることで、雄継手２及び雌継手３の結合ロックが解除された状態になり、雄継手２を雌継手３から取り外すことができるようになる。また、回動部材１１が回動可能になるため、図５〜８に示すように、回動部材１１を雄継手２や雌継手３に直交する方向へ回動することで、雄継手２を雌継手３から外すことができる状態にあるのか否かを視認することができる（もちろん、その前提としてカムアーム４を起立させる必要がある。）。そして、この際に握持部材１２の両端部１２Ａを先端側へ移動して（戻して）おけば、回動部材１１が元の位置（雄継手２や雌継手３に沿う状態。図１〜４の状態））に戻ってしまうおそれがなく、雄継手２を雌継手３から外すことができる状態にあるのか否かを誤認するおそれがない。
【００２２】
また、本形態においては、回動部材１１が平板状であるため、握持部材１２の両端部１２Ａが基端側へ移動すると、握持部材１２の中央部１２Ｂが回動部材１１（本体部１１ａ）から乖離する。したがって、握持部材１２の中央部１２Ｂが回動部材１１を回動させるための握持部として機能するようになる。
【００２３】
なお、以上では、挿通孔１１ｃを２つとし、握持部材１２を１つ設ける形態を示したが、挿通孔１１ｃの数や握持部材１２の数は、適宜、変更することができる。
【００２４】
（その他の形態）
本形態の継手１は、雄継手２の内空部に開閉バルブ（図示せず）が備わる形態にすることもできる。この形態においては、回動部材１１が雄継手２に軸支されるものとしておき、かつ回動部材１１の回動と開閉バルブの開閉とが連動するように構成すると好適である。つまり、回動部材１１が雄継手２や雌継手３に沿っている状態（図１〜４の状態）においては開閉バルブが開き、回動部材１１が雄継手２や雌継手３に直交している状態（図５〜８の状態）においては開閉バルブが閉じるように構成すると好適である。この形態によると、回動部材１１が雄継手２や雌継手３に沿っている状態においては、開閉バルブが開いており、雄継手２や雌継手３内を流体が流れるが、カムアーム４が起立しないため雄継手２が雌継手３から外れてしまうおそれがない。他方、回動部材１１が雄継手２や雌継手３に直交している状態においては、開閉バルブが閉じているため、雄継手２側から流れてくる流体が雄継手２及び雌継手３の結合部分から漏れてしまうおそれがない。したがって、カムアーム４が起立可能であり、雄継手２が雌継手３から外れてしまうおそれがあったとしても、あるいは雄継手２を雌継手３から外したとしても問題がない。また、この本形態においては、回動部材１１の状態を視認することを通じて開閉バルブの開閉状態を確認することができる。
【産業上の利用可能性】
【００２５】
本発明は、継手の補助具及び継手として利用可能である。
【符号の説明】
【００２６】
１  継手
２  雄継手
３  雌継手
３Ａ  基部
４  カムアーム
４Ａ  軸材
１０  補助具
１１  回動部材
１１ａ  本体部
１１ｂ  軸支部
１１ｃ  挿通孔
１１ｘ  軸材
１２  握持部材
１２Ａ  両端部
１２Ｂ  中央部
【図１】
2020172992.tif 000003
【図２】
2020172992.tif 000004
【図３】
2020172992.tif 000005
【図４】
2020172992.tif 000006
【図５】
2020172992.tif 000007
【図６】
2020172992.tif 000008
【図７】
2020172992.tif 000009
【図８】
2020172992.tif 000010
【手続補正書】
【提出日】令和2年6月24日(2020.6.24)
【手続補正１】
【補正対象書類名】明細書
【補正対象項目名】全文
【補正方法】変更
【補正の内容】
【発明の詳細な説明】
【技術分野】
【０００１】
本発明は、継手の補助具及び継手に関するものである。
【背景技術】
【０００２】
いわゆるカムロック式の継手としては、雄継手及びこの雄継手と結合する雌継手のほかに、カムアームが備わるものが存在する。この継手においては、カムアームが起伏自在で、雌継手から起立させ、また、雌継手に沿うように倒すことができる。この継手においては、カムアームを倒すと雄継手を雌継手から取り外すことができなくなり（結合の解除不能）、他方、カムアームを起立させると雄継手を雌継手から取り外すことができるようになる（結合の解除可能）。したがって、カムアームが意図せずに起立してしまうのを防止し、もって雄継手が雌継手から意図せずに外れてしまう（自然解除）のを防止する必要がある。そこで、例えば、特許文献１，２は、継手の構造を変更することで自然解除を防止している。しかしながら、構造の変更は煩瑣であり、また、既存の継手をそのまま利用することができなきなくなる。一方、特許文献３は、可撓性の固定バンドによってカムアームの意図しない起立を防止している。しかしながら、この提案によると、固定バンドが紛失する可能性がある。また、同文献は、カムアームを抑え込む可撓性の部材を提案するだけであり、この提案では固定バンドの取り付けが煩瑣である。仮に固定バンドの抑え込みを弱くすると、固定バンドが継手から外れてしまう可能性がある。
【先行技術文献】
【特許文献】
【０００３】
【特許文献１】特開２００４−１８３８４４号公報
【特許文献２】特開２０１５−６８４６７号公報
【特許文献３】特開２００３−４１９０号公報
【発明の概要】
【発明が解決しようとする課題】
【０００４】
本発明が解決しようとする主たる課題は、継手の自然解除を防止することができる簡易な補助具及び継手を提供することにある。
【課題を解決するための手段】
【０００５】
上記課題を解決するための手段は、次のとおりである。
（請求項１に記載の手段）
雄継手及びこの雄継手と結合する雌継手、並びにこの雌継手に起立自在に備わるカムアームを有し、このカムアームの起立時に前記結合が解除可能になる継手の補助具であり、
前記雄継手又は前記雌継手に軸支される回動部材と、この回動部材に取り付けられた握持部材とを有し、
前記回動部材に一対の挿通孔が備わり、この一対の挿通孔に前記握持部材の両端部が先端側及び基端側へ移動自在に挿通され、
前記両端部の前記先端側への移動で前記カムアームが起立不能になり、かつ前記回動部材が回動不能になり、
前記両端部の前記基端側への移動で前記カムアームが起立可能になり、かつ前記回動部材が回動可能になり、
前記握持部材は前記両端部及びこの両端部間に位置する中央部に区分され、前記両端部が前記中央部から折れ曲がることで形成されており、
前記回動部材は平板状で、かつ前記両端部の前記基端側への移動で前記中央部が前記回動部材から乖離する、
ことを特徴とする継手の補助具。
【０００６】
【０００７】
（請求項２に記載の手段）
雄継手及びこの雄継手と結合する雌継手、並びに前記雄継手又は前記雌継手に備えられた補助具及び前記雌継手に起立自在に備わるカムアームを有し、このカムアームの起立時に前記結合が解除可能になり、
前記補助具は、前記雄継手又は前記雌継手に軸支された回動部材と、この回動部材に取り付けられた握持部材とを有し、
前記回動部材に一対の挿通孔が備わり、この一対の挿通孔に前記握持部材の両端部が先端側及び基端側へ移動自在に挿通され、
前記両端部の前記先端側への移動で前記カムアームが起立不能になり、かつ前記回動部材が回動不能になり、
前記両端部の前記基端側への移動で前記カムアームが起立可能になり、かつ前記回動部材が回動可能になり、
前記握持部材は前記両端部及びこの両端部間に位置する中央部に区分され、前記両端部が前記中央部から折れ曲がることで形成されており、
前記回動部材は平板状で、かつ前記両端部の前記基端側への移動で前記中央部が前記回動部材から乖離する、
ことを特徴とする継手。
【０００８】
（請求項３に記載の手段）
前記雄継手内に開閉バルブが備わり、
前記回動部材が前記雄継手に軸支され、かつ前記回動部材の回動と前記開閉バルブの開閉とが連動するように構成されている、
請求項２に記載の継手。
【発明の効果】
【０００９】
本発明によると、継手の自然解除を防止することができる簡易な補助具及び継手になる。
【図面の簡単な説明】
【００１０】
【図１】本形態の継手の斜視図である（ロック状態）。
【図２】本形態の継手の平面図である（ロック状態）。
【図３】本形態の継手の側面図である（ロック状態）。
【図４】本形態の継手の正面図である（ロック状態）。
【図５】本形態の継手の斜視図である（ロック解除可能状態）。
【図６】本形態の継手の平面図である（ロック解除可能状態）。
【図７】本形態の継手の側面図である（ロック解除可能状態）。
【図８】本形態の継手の正面図である（ロック解除可能状態）。
【発明を実施するための形態】
【００１１】
次に、発明を実施するための形態を説明する。なお、本実施の形態は本発明の一例である。本発明の範囲は、本実施の形態の範囲に限定されない。
【００１２】
図１〜８に、本形態の継手１を示した。本形態の継手１には、補助具１０が備えられ、又は備わっている（図示例）。継手１は、雄継手２及び雌継手３と、一対のカムアーム４とを有する。カムアーム４が備わる継手１は、例えば、レバー式のカムロック等と言われることもある。また、カムアーム４は、例えば、レバー等と言われることもある。
【００１３】
本形態の雄継手２及び雌継手３は、いずれも円筒状である。また、雄継手２の一端部（雌継手３側の端部）は、雌継手３の一端部（雄継手２側の端部）内に挿入可能とされている。図示例は、当該挿入が行われた状態を示している。この挿入状態において、雄継手２及び雌継手３の内空部を液体、気体等の流体が流通可能である。また、雄継手２及び雌継手３の内空部は、例えば、直径１０〜５０ｍｍである。
【００１４】
一対のカムアーム４は、雌継手３の周面に固定されている。一対のカムアーム４は、雌継手３を挟んで反対側に、つまり対称位置に備えられている。雌継手３の周面には、一対の基部３Ａが備えられている。当該基部３Ａは、雌継手３の周面から突出している。一対のカムアーム４は、当該基部３Ａに対して軸材４Ａによって軸支されている。当該軸材４Ａは、例えば、ピボットピン等と言われることもある。軸材４Ａは、雌継手３の延在方向と直交する方向に延在している。軸材４Ａによる軸支により、カムアーム４は、雌継手３の延在方向に沿った状態（倒された状態）と起立状態との間で回動自在になっている。カムアーム４が倒された状態においては、雄継手２及び雌継手３の結合がロックされている（解除不能）。他方、カムアーム４が起立した状態においては、雄継手２及び雌継手３の結合ロックが解除されている（解除可能）。
【００１５】
以上のようにしてなる継手１に備わる補助具１０は、回動部材１１及び握持部材１２を主に有する。補助具１０（回動部材１１）は、雄継手２又は雌継手３に軸支されている。図示例では、回動部材１１が雄継手２に軸支されている。
【００１６】
本形態の回動部材１１は、平板状である。また、本形態の回動部材１１は、本体部１１ａと軸支部１１ｂとに区分することができる。本体部１１ａは、平面視で円形状、矩形状、任意の形状等の適宜の形状にすることができる。図示例では、ほぼ真円形状である。他方、軸支部１１ｂも、平面視で円形状、矩形状、任意の形状等の適宜の形状にすることができる。本形態の軸支部１１ｂは、本体部１１ａから雄継手２側へ突出している。ただし、回動部材１１は、本体部１１ａ及び軸支部１１ｂに区分されている必要はない。例えば、軸支部１１ｂが備わらず、本体部１１ａ自体が雄継手２等に軸支されていてもよい。
【００１７】
軸支部１１ｂは、軸材１１ｘによって雄継手２に軸支されている。軸材１１ｘは、雄継手２や雌継手３の延在方向と直交する方向に延在しており、カムアーム４の軸材４Ａと同方向に延在している。したがって、回動部材１１の回動方向は、カムアーム４の回動方向と同じである。もちろん、回動部材１１の回動中心位置と、カムアーム４の回動中心位置とは異なる。
【００１８】
回動部材１１の本体部１１ａには、一対の挿通孔１１ｃが備わる。この一対の挿通孔１１ｃには、握持部材１２が挿通されている。
より詳細には、まず、握持部材１２は、棒状であり、両端部１２Ａ及びこの両端部１２Ａ間に位置する中央部１２Ｂに区分される。両端部１２Ａは、中央部１２Ｂから折れ曲がることで形成されている。
【００１９】
握持部材１２の両端部１２Ａは、回動部材１１（本体部１１ａ）の挿通孔１１ｃに挿通されている。この挿通は、両端部１２Ａが先端側及び基端側へ移動自在になるように行われている。なお、基端側とは、握持部材１２の折れ曲がった部分側を意味する。したがって、先端側への移動とは、両端部１２Ａが挿通孔１１ｃにより長く挿通された状態、つまり挿通長が長くなった状態を意味する。他方、基端側への移動とは、両端部１２Ａが挿通孔１１ｃにより短く挿通された状態、つまり挿通長が短くなった状態を意味する。なお、図１〜８は、両端部１２Ａが先端側へ移動した状態を示している。
【００２０】
握持部材１２の両端部１２Ａが先端側へ移動した状態においては、図４に示すように、当該両端部１２Ａが一対のカムアーム４の外方、つまりカムアーム４を挟んで雌継手３と反対側に位置する。したがって、カムアーム４が起立不能（回動不能）になり、かつ回動部材１１が回動不能になる。結果、雄継手２及び雌継手３の結合がロックされた状態になり、雄継手２が雌継手３から意図せずに外れてしまうのが防止される。
【００２１】
他方、握持部材１２の両端部１２Ａが基端側へ移動した状態においては、特に図示はしないが、両端部１２Ａが一対のカムアーム４の外方、つまりカムアーム４を挟んで雌継手３と反対側に位置しなくなる。したがって、カムアーム４が起立可能（回動可能）になり、かつ回動部材１１が回動可能になる。結果、カムアーム４を起立させることで、雄継手２及び雌継手３の結合ロックが解除された状態になり、雄継手２を雌継手３から取り外すことができるようになる。また、回動部材１１が回動可能になるため、図５〜８に示すように、回動部材１１を雄継手２や雌継手３に直交する方向へ回動することで、雄継手２を雌継手３から外すことができる状態にあるのか否かを視認することができる（もちろん、その前提としてカムアーム４を起立させる必要がある。）。そして、この際に握持部材１２の両端部１２Ａを先端側へ移動して（戻して）おけば、回動部材１１が元の位置（雄継手２や雌継手３に沿う状態。図１〜４の状態））に戻ってしまうおそれがなく、雄継手２を雌継手３から外すことができる状態にあるのか否かを誤認するおそれがない。
【００２２】
また、本形態においては、回動部材１１が平板状であるため、握持部材１２の両端部１２Ａが基端側へ移動すると、握持部材１２の中央部１２Ｂが回動部材１１（本体部１１ａ）から乖離する。したがって、握持部材１２の中央部１２Ｂが回動部材１１を回動させるための握持部として機能するようになる。
【００２３】
なお、以上では、挿通孔１１ｃを２つとし、握持部材１２を１つ設ける形態を示したが、挿通孔１１ｃの数や握持部材１２の数は、適宜、変更することができる。
【００２４】
（その他の形態）
本形態の継手１は、雄継手２の内空部に開閉バルブ（図示せず）が備わる形態にすることもできる。この形態においては、回動部材１１が雄継手２に軸支されるものとしておき、かつ回動部材１１の回動と開閉バルブの開閉とが連動するように構成すると好適である。つまり、回動部材１１が雄継手２や雌継手３に沿っている状態（図１〜４の状態）においては開閉バルブが開き、回動部材１１が雄継手２や雌継手３に直交している状態（図５〜８の状態）においては開閉バルブが閉じるように構成すると好適である。この形態によると、回動部材１１が雄継手２や雌継手３に沿っている状態においては、開閉バルブが開いており、雄継手２や雌継手３内を流体が流れるが、カムアーム４が起立しないため雄継手２が雌継手３から外れてしまうおそれがない。他方、回動部材１１が雄継手２や雌継手３に直交している状態においては、開閉バルブが閉じているため、雄継手２側から流れてくる流体が雄継手２及び雌継手３の結合部分から漏れてしまうおそれがない。したがって、カムアーム４が起立可能であり、雄継手２が雌継手３から外れてしまうおそれがあったとしても、あるいは雄継手２を雌継手３から外したとしても問題がない。また、この本形態においては、回動部材１１の状態を視認することを通じて開閉バルブの開閉状態を確認することができる。
【産業上の利用可能性】
【００２５】
本発明は、継手の補助具及び継手として利用可能である。
【符号の説明】
【００２６】
１  継手
２  雄継手
３  雌継手
３Ａ  基部
４  カムアーム
４Ａ  軸材
１０  補助具
１１  回動部材
１１ａ  本体部
１１ｂ  軸支部
１１ｃ  挿通孔
１１ｘ  軸材
１２  握持部材
１２Ａ  両端部
１２Ｂ  中央部
【手続補正２】
【補正対象書類名】特許請求の範囲
【補正対象項目名】全文
【補正方法】変更
【補正の内容】
【特許請求の範囲】
【請求項１】
雄継手及びこの雄継手と結合する雌継手、並びにこの雌継手に起立自在に備わるカムアームを有し、このカムアームの起立時に前記結合が解除可能になる継手の補助具であり、
前記雄継手又は前記雌継手に軸支される回動部材と、この回動部材に取り付けられた握持部材とを有し、
前記回動部材に一対の挿通孔が備わり、この一対の挿通孔に前記握持部材の両端部が先端側及び基端側へ移動自在に挿通され、
前記両端部の前記先端側への移動で前記カムアームが起立不能になり、かつ前記回動部材が回動不能になり、
前記両端部の前記基端側への移動で前記カムアームが起立可能になり、かつ前記回動部材が回動可能になり、
前記握持部材は前記両端部及びこの両端部間に位置する中央部に区分され、前記両端部が前記中央部から折れ曲がることで形成されており、
前記回動部材は平板状で、かつ前記両端部の前記基端側への移動で前記中央部が前記回動部材から乖離する、
ことを特徴とする継手の補助具。
【請求項２】
雄継手及びこの雄継手と結合する雌継手、並びに前記雄継手又は前記雌継手に備えられた補助具及び前記雌継手に起立自在に備わるカムアームを有し、このカムアームの起立時に前記結合が解除可能になり、
前記補助具は、前記雄継手又は前記雌継手に軸支された回動部材と、この回動部材に取り付けられた握持部材とを有し、
前記回動部材に一対の挿通孔が備わり、この一対の挿通孔に前記握持部材の両端部が先端側及び基端側へ移動自在に挿通され、
前記両端部の前記先端側への移動で前記カムアームが起立不能になり、かつ前記回動部材が回動不能になり、
前記両端部の前記基端側への移動で前記カムアームが起立可能になり、かつ前記回動部材が回動可能になり、
前記握持部材は前記両端部及びこの両端部間に位置する中央部に区分され、前記両端部が前記中央部から折れ曲がることで形成されており、
前記回動部材は平板状で、かつ前記両端部の前記基端側への移動で前記中央部が前記回動部材から乖離する、
ことを特徴とする継手。
【請求項３】
前記雄継手内に開閉バルブが備わり、
前記回動部材が前記雄継手に軸支され、かつ前記回動部材の回動と前記開閉バルブの開閉とが連動するように構成されている、
請求項２に記載の継手。